(57)【要約】【課題】  簡易かつ発芽率の高い種子保持具を提供する【解決手段】  種子保持シート１００は、紙材のシート体１、水溶紙Ｐ、および複数の種子Ｓを備えている。シート体１は、ほぼ中央に設けられた折り線Ｌ１で折りたたみ可能であり、折り線Ｌ１をはさんで、ほぼ対称の位置に貫通穴１ｈとリブ付き穴２が形成されている。リブ付き穴２は、中央に十字のリブ２ｂが形成されており、これにより、扇状の穴２ａが４つ形成されている。リブ２ａにより運搬時、または組み立て時等に水溶紙Ｐが破れるのを防止できる。貫通穴１ｈ側を上にして種子保持シート１００を土に置いて、水をかけると、水溶紙Ｐが溶解し、種子Ｓが土の上に落ちる。【選択図】図１
2014073088.tif 000002
【特許請求の範囲】
【請求項１】
板状部材の広面積面を種子被散布体の表面に対向して載置することにより、前記種子被散布体の表面に内部に保持した植物の種子を散布するための種子保持具であって、
前記板状部材の広面積面に、貫通穴を形成すると共に、この貫通穴の部分に、水溶性部材を保持させ、さらに、この水溶性部材に種子を保持させたこと、
を特徴とする種子保持具。
【請求項２】
請求項１の種子保持具において、
前記貫通穴の一部に、リブを形成したこと、
を特徴とする種子保持具。
【請求項３】
請求項２の種子保持具において、
前記リブは、前記貫通穴のほぼ中央に十字で構成されていること、
を特徴とする種子保持具。
【請求項４】
請求項２または請求項３の種子保持具において、
前記リブは、前記板状部材の面よりも、前記種子散布体の表面側に位置する段差が形成されていること、
を特徴とする種子保持具。
【請求項５】
請求項１〜請求項４のいずれかの種子保持具と一体化させた、商品の口紙、はがき、下げ札、封筒、パンフレット、またはカレンダー。
【請求項６】
板状部材の広面積面に設けられた貫通穴の部分に、水溶性部材を保持させ、
この水溶性部材に種子を保持させ、
前記板状部材の広面積面を種子被散布体の表面に対向して載置し、
前記貫通穴の部分に水を与えて、前記水溶性部材を溶解させて、前記種子被散布体の表面に、前記種子を散布すること、
を特徴とする発芽方法。
【発明の詳細な説明】
【技術分野】
【０００１】
本発明は種子保持具に関し、特に、発芽率が高い発芽方法に関する。
【背景技術】
【０００２】
特許文献１には、植物の種子を、土中に播くことができる種子保持具が開示されている（第１頁、図１参照）。この種子保持具は、両主表面の少なくとも一方に形成され、該種子保持具が埋設されるべき土表面に対する相対位置を示す目印である埋設目印と、両主表面の一面に他面方向に向かって窪むように埋設目印から所定距離離れた位置に一部が存在するように形成され、種子を収容し保持する凹部である種子保持部と、を備えている。
【先行技術文献】
【特許文献】
【０００３】
【特許文献１】実用新案登録第3157030号公報
【発明の概要】
【発明が解決しようとする課題】
【０００４】
特許文献１の種子保持具は、園芸用スコップやレーキ等の工具を用いて土中に垂直状に埋設するための作業が必要であった。また、土の中に種を埋めるために発芽する率が低いという問題があった。
【０００５】
本発明は、簡易かつ発芽率の高い種子保持具および発芽方法を提供することを目的とする。
【課題を解決するための手段】
【０００６】
(1)本発明にかかる種子保持具は、板状部材の広面積面を種子被散布体の表面に対向して載置することにより、前記種子被散布体の表面に内部に保持した植物の種子を散布するための種子保持具であって、前記板状部材の広面積面に、貫通穴を形成すると共に、この貫通穴の部分に、水溶性部材を保持させ、さらに、この水溶性部材に種子を保持させている。
【０００７】
したがって、前記板状部材の広面積面を種子被散布体の表面に対向して載置し、前記貫通穴に水をかけるだけで、前記種子被散布体の内部ではなく、表面に前記種子を散布することができ、発芽率を向上させることができる。
【０００８】
(2)本発明にかかる種子保持具は、前記貫通穴の一部に、リブが形成されている。したがって、いたずらで前記水溶性部材を破られてしまうことを防止できる。
【０００９】
(3)本発明にかかる種子保持具においては、前記リブは、前記貫通穴のほぼ中央に十字で構成されている。したがって、発芽の際に邪魔する問題と、いたずら防止の相反する課題を解決することができる。
【００１０】
(4)本発明にかかる種子保持具においては、前記リブは、前記板状部材の面よりも、前記種子散布体の表面側に位置する段差が形成されている。
【００１１】
(6)本発明にかかる発芽方法は、板状部材の広面積面に設けられた貫通穴の部分に、水溶性部材を保持させ、この水溶性部材に種子を保持させ、前記板状部材の広面積面を種子被散布体の表面に対向して載置し、前記貫通穴の部分に水を与えて、前記水溶性部材を溶解させて、前記種子被散布体の表面に、前記種子を散布する。このように、前記広面積面を前記種子被散布体の表面に対向して載置し、水を与えるだけで、前記種子被散布体の表面に前記種子を散布することができ、発芽率を向上させることができる。
【００１２】
本明細書において、用いた用語について説明する。「板状部材」とは、実施形態では、シート体１が該当する。実施形態では２つに折った場合について説明したが、これに限定されない。「広面積面」とは、実施形態では、種子保持シート１００の側面ではなく、平面が該当する。「種子被散布体」とは、実施形態では、プランタ内に収納された土が該当するが、発芽が可能な物であればどのようなものであってもよい。
【図面の簡単な説明】
【００１３】
【図１】種子保持シート１００の一実施形態を示す。図１Ａは構成部材を分離して示す斜視図、図１Ｂは、水溶紙の他の実施態様を示す斜視図、図１Ｃは、種子保持シートの斜視図である。
【図２】図２Ａは、口紙に種子保持シート１００を設けた展開表面図、図２Ｂは、同裏面図である。
【図３】図３Ａは、種子保持シート一体の口紙２００設けた展開表面図、図３Ｂは、一部を折りたたんだ裏面図である。
【図４】商品の靴下に、種子保持シートと一体化させた口紙を取り付けた状態を示す正面図である。
【図５】ポストカードと一体化させた種子保持シートを設けた状態を示す平面図である。
【図６】本発明に係る種子保持シートにフィギュアを取り付けた状態の斜視図である。
【発明を実施するための形態】
【００１４】
本発明に係る種子保持シートの一実施形態を、図１を用いて説明する。図１Ａに、種子保持シート１００の構成部材を示す。種子保持シート１００は、紙材で構成されたシート体１、水溶紙Ｐ、および複数の種子Ｓを備えている。シート体１は、ほぼ中央に設けられた折り線Ｌ１で折りたたみ可能に構成されている。折り線Ｌ１をはさんで、ほぼ対称の位置に貫通穴１ｈとリブ付き穴２が形成されている。リブ付き穴２は、中央に十字のリブ２ｂが形成されており、これにより、扇状の穴２ａが４つ形成されている。
【００１５】
水溶紙Ｐおよび、シート体１には、肥料成分ＨＭを全体及び／又は一部に含浸又は保持させている。これにより種子Ｓは発芽後も順調に成育する。
【００１６】
種子保持シート１００の組み立て方法について説明する。シート体１の上に、水溶紙Ｐを載置し、貫通穴１ｈとリブ付き穴２の上に位置するように、接着剤で貼付する。種子Ｓを貫通穴１ｈ上の水溶紙Ｐに載置する。折り線Ｌ１にてシート体１を谷折りすることにより、図１Ｃに示すように、サンドイッチ状態に保持される。リブ付き穴２には、リブ２ａが形成されているので、運搬時、または組み立て時等に水溶紙Ｐが破れるのを防止できる。
【００１７】
種子保持シート１００の使用方法について説明する。図１Ｃに示す種子保持シート１００を、貫通穴１ｈ側を上にして土に置いて、発芽するまで定期的に水をかける。この水により、水溶紙Ｐが溶解し、種子Ｓが土の上に落ちる。なお、既に説明したように、シート体１の穴２側には、ほぼ中央部に十字のリブ２ａが構成されている。リブ２ａの上に、種子Ｓが位置していると、リブに引っかかって、土の上に落ちないおそれがある。ただ、発芽までは数回水をかけられるので、リブに引っかかっていた種子も、一旦水溶紙Ｐが溶解したあとは、通孔２ｂから土の上に落ちる。したがって、通孔２ｂから発芽が可能となる。種子Ｓは発芽後も肥料成分ＨＭにより順調に成育することができる。
【００１８】
また、図１Ｂに示すように、水溶紙Ｐの貫通穴１ｈに対応する位置にエンボス加工等により凹部ＤＴを形成するようにしてもよい。これにより、製造時に種子Ｓを保持しやすくなる。
【００１９】
また、図２に示すように、シート体１もリブ部分２ａを凹部に形成してもよい。これにより、種子Ｓは、シート体１の面１ａよりも下部に位置することになるので、使用時に水に押されて、一部の種子が、シート体１の間に入り込むことが防止できる。したがって、確実に土の表面に種子Ｓを落とすことができる。
【００２０】
本実施形態においては、水溶紙を２つ折りにするようにしたが、種を保持できる形態であればこれに限定されない。
【００２１】
図３に、種子保持シート１００を商品タグと一体化させた種子保持シート一体化口紙２００を示す。図３Ａは、種子保持シート一体化口紙２００の展開表面図である。
【００２２】
種子保持シート一体化口紙２００は、口紙として用いられる時は、切り取り線Ｃ１で山折り、折り線Ｌ１で山折りされる。図１に示す実施形態と同様に、穴１ｈ、リブ付き穴２ａのあたりに、種子Ｓをはさんだ水溶紙Ｐが挟み込まれる。靴下ＳＸのタグとしての使用状態を図４に示す。種子保持シートとしての使用方法について説明する。図３Ｂに示すように，種子保持シート一体化口紙２００を、切り取り線Ｃ１における山折りを元に戻す。この状態で、切り取り線Ｃ１で紙片２１を切り取る。そして、紙片２２を裏返して、土を入れたプランタにおいて、水をかける。これにより、図１と同様に、発芽させることができる。この場合、紙片２２の商品名などを記載した面２２ａが上を向いた状態で、プランタ内に載置されるので、商品の広告機能をも果たす。
【００２３】
図５に、ＤＭ用の種子保持シート一体化ポストカード３００を示す。ポストカード３００は、図３Ｂの口紙をはがきの形状としたものである。すなわち、折り線Ｌ１で山折りされており、リブ付き穴２の位置に種子Ｓが保持されている。ポストカード３００はそのまま、土の上に置いてもよいし、切り取り線Ｃ２で切り離してから、使用してもよい。
【００２４】
図６に、余白部にフィギュアＦＧを取り付けたフィギュア付き種子保持シート４００の斜視図を示す。シート体１が余白部を有する程度に大きい以外の構造は上記種子保持シート１００と同様である。
【００２５】
このように、種子保持シート１００は、単に種子保持シートとだけでなく、口紙２００、ポストカード３００に適用可能である。また、下げ札、封筒、パンフレット、カレンダーなど、各種表示物又は印刷物等にも一体的に形成して適用可能である、
なお、本明細書において、「山折り」とは折り目の線が外側になるように折ることをいい、「谷折り」とは折り目の線が内側に隠れてしまうように折ることをいう。
【００２６】
本実施形態においては、水溶性部材を水溶紙Ｐで構成したが、水溶性素材、例えば、オブラート等で構成してもよい。水溶性部材を水溶紙のように隙間がないものでなく、種子が落ちない程度の網目で構成してもよい。また、シート体１は、紙で構成したが、シート状に形成できるものであればどのようなものであってもよく、例えば、一部または全部を木材などで構成してもよい。
【００２７】
また、本実施形態においては、リブ付き穴２を土の表面に対向して載置するようにしたが、穴１ｈ側を土の表面に対向して載置するようにしてもよい。
【００２８】
本実施形態においては、種子保持シートの形状は矩形としたが、これに限定されず、任意の形状であってもよい。
【００２９】
貫通穴についても、双方同じ径の円形としたが、これに限定されず、異質形状であってもよい。さらに、同じ円形でも径を変更してもよい。
【符号の説明】
【００３０】
１００…種子保持シート、
１…シート体、
１ｈ…貫通穴、
２…リブ付き穴
２ａ…リブ
Ｓ…種子
Ｌ１…折り線
２００…口紙
３００…ポストカード
【図１】
2014073088.tif 000003
【図２】
2014073088.tif 000004
【図３】
2014073088.tif 000005
【図４】
2014073088.tif 000006
【図５】
2014073088.tif 000007
【図６】
2014073088.tif 000008
【手続補正書】
【提出日】平成25年1月8日(2013.1.8)
【手続補正１】
【補正対象書類名】図面
【補正対象項目名】図１
【補正方法】変更
【補正の内容】
【図１】
2014073088.tif 000009
【手続補正２】
【補正対象書類名】図面
【補正対象項目名】図２
【補正方法】変更
【補正の内容】
【図２】
2014073088.tif 000010
【手続補正３】
【補正対象書類名】図面
【補正対象項目名】図３
【補正方法】変更
【補正の内容】
【図３】
2014073088.tif 000011
【手続補正４】
【補正対象書類名】図面
【補正対象項目名】図４
【補正方法】変更
【補正の内容】
【図４】
2014073088.tif 000012
【手続補正５】
【補正対象書類名】図面
【補正対象項目名】図５
【補正方法】変更
【補正の内容】
【図５】
2014073088.tif 000013
【手続補正６】
【補正対象書類名】図面
【補正対象項目名】図６
【補正方法】変更
【補正の内容】
【図６】
2014073088.tif 000014